(57)【要約】【課題】  本発明は、通常発行状態と剥離発行状態との切り換え操作時に装置が落下してしまった場合にも、破損を防止することができるラベルプリンタを提供することを課題とする。【解決手段】  排出口７に対向する位置に進退することによって、帯状台紙から剥離してラベルを発行する剥離発行状態と帯状台紙を仮着したままラベルを発行する通常発行状態とを切り換える剥離ユニット６が、前面パネル４にスライド可能に取り付けられており、剥離ユニット６が排出口７に対向する位置にスライドされている剥離発行状態において、開閉カバー５の開蓋をロックすると共に、開閉カバー５が開蓋されている状態において、剥離ユニット６の排出口７に対向する位置へのスライドをロックする。【選択図】        図１
2006150858.tif 000002
【特許請求の範囲】
【請求項１】
本体の前面に配置された前面パネルと開閉カバーとの間に、印字が施されたラベルが仮着されている帯状台紙が排出される排出口が形成されているラベルプリンタであって、
前記前面パネルにスライド可能に取り付けられ、前記排出口に対向する位置に進退することによって前記帯状台紙から剥離して前記ラベルを発行する剥離発行状態と前記帯状台紙を仮着したまま前記ラベルを発行する通常発行状態とを切り換える剥離ユニットと、
前記剥離ユニットが前記排出口に対向する位置にスライドされている前記剥離発行状態において、前記開閉カバーの開蓋をロックする開閉カバーロック手段と、
前記開閉カバーが開蓋されている状態において、前記剥離ユニットの前記排出口に対向する位置へのスライドをロックするスライドロック手段とを具備することを特徴とするラベルプリンタ。
【請求項２】
前記開閉カバーロック手段は、前記開閉カバーの開蓋を操作するオープンレバーの動作を規制することを特徴とする請求項１記載のラベルプリンタ。
【請求項３】
前記剥離ユニットには、前記オープンレバーが貫通する開口が形成されており、
前記剥離ユニットが前記排出口に対向する位置にスライドされている前記剥離発行状態では、前記開口の端部によって前記オープンレバーの動作が規制されることを特徴とする請求項２記載のラベルプリンタ。
【請求項４】
前記スライドロック手段による前記剥離ユニットのスライドのロックは、前記開閉カバーの閉蓋によって解除されることを特徴とする請求項１乃至３のいずれかに記載のラベルプリンタ。
【発明の詳細な説明】
【技術分野】
【０００１】
本発明は、帯状台紙に仮着されたラベルに印字を施すラベルプリンタに関し、特に、帯状台紙を仮着したままラベルを発行する通常発行状態と、台紙から剥離してラベルを発行する剥離発行状態とに切り換えて使用することができるラベルプリンタに関する。
【背景技術】
【０００２】
ラベルプリンタとしては、帯状台紙に仮着されたラベルに印字を施して発行する装置であり、帯状台紙を仮着したままラベルを発行する状態（以下、通常発行状態と称す）と、帯状台紙から剥離してラベルを発行する状態（以下、剥離発行状態と称す）とに切り換えることができるようになっている装置が知られている。
【０００３】
通常発行状態と剥離発行状態との切り換え方法としては、プラテンローラの回動軸を中心に剥離体を回動自在に設け、剥離体の両端に設けたレバーを操作して回動させることにより、ラベルが仮着された帯状台紙の転向角度を変更することで切り換えを行う装置が提案されている（例えば、特許文献１参照）。
【０００４】
しかしながら、従来技術では、通常発行状態と剥離発行状態との切り換えるための、剥離体の両端に設けたレバーの操作を、開閉カバーが開蓋した状態で行う必要があるため、切り換え操作時に装置が落下してしまった場合には、破損の恐れが高くなってしまうという問題点があった。すなわち、身体に装着して使用するような携帯型ラベルプリンタの場合には、落下の対する堅牢性が求められているが、小型化によって各部品のサイズも小さくなって各部品の強度が弱くなってしまうため、組み付けられた状態で堅牢性が確保されるようになっており、開閉カバーが開蓋している状態では、堅牢性が著しく低下してしまい、開閉カバーが開蓋している状態で落下した場合には、破損の恐れが高くなってしまう。
【特許文献１】特開平１１−１９３０１４号公報
【発明の開示】
【発明が解決しようとする課題】
【０００５】
本発明は斯かる問題点を鑑みてなされたものであり、その目的とするところは、通常発行状態と剥離発行状態との切り換え操作時に装置が落下してしまった場合にも、破損を防止することができるラベルプリンタを提供する点にある。
【課題を解決するための手段】
【０００６】
本発明は上記課題を解決すべく、以下に掲げる構成とした。
請求項１記載の発明の要旨は、本体の前面に配置された前面パネルと開閉カバーとの間に、印字が施されたラベルが仮着されている帯状台紙が排出される排出口が形成されているラベルプリンタであって、前記前面パネルにスライド可能に取り付けられ、前記排出口に対向する位置に進退することによって前記帯状台紙から剥離して前記ラベルを発行する剥離発行状態と前記帯状台紙を仮着したまま前記ラベルを発行する通常発行状態とを切り換える剥離ユニットと、前記剥離ユニットが前記排出口に対向する位置にスライドされている前記剥離発行状態において、前記開閉カバーの開蓋をロックする開閉カバーロック手段と、前記開閉カバーが開蓋されている状態において、前記剥離ユニットの前記排出口に対向する位置へのスライドをロックするスライドロック手段とを具備することを特徴とするラベルプリンタに存する。
また請求項２記載の発明の要旨は、前記開閉カバーロック手段は、前記開閉カバーの開蓋を操作するオープンレバーの動作を規制することを特徴とする請求項１記載のラベルプリンタに存する。
また請求項３記載の発明の要旨は、前記剥離ユニットには、前記オープンレバーが貫通する開口が形成されており、前記剥離ユニットが前記排出口に対向する位置にスライドされている前記剥離発行状態では、前記開口の端部によって前記オープンレバーの動作が規制されることを特徴とする請求項２記載のラベルプリンタに存する。
また請求項４記載の発明の要旨は、前記スライドロック手段による前記剥離ユニットのスライドのロックは、前記開閉カバーの閉蓋によって解除されることを特徴とする請求項１乃至３のいずれかに記載のラベルプリンタに存する。
【発明の効果】
【０００７】
本発明のラベルプリンタは、剥離ユニットが排出口に対向する位置にスライドされている剥離発行状態において、開閉カバーの開蓋をロックすると共に、開閉カバーが開蓋されている状態において、剥離ユニットの排出口に対向する位置へのスライドをロックするように構成することにより、通常発行状態と剥離発行状態との切り換え操作は、常に開閉カバーが閉蓋した状態で行われるため、通常発行状態と剥離発行状態との切り換え操作時に装置が落下してしまった場合にも、破損を防止することができるという効果を奏する。
【発明を実施するための最良の形態】
【０００８】
以下、本発明の実施の形態を図面に基づいて詳細に説明する。
【０００９】
図１は、本発明に係るラベルプリンタの実施の形態の外観構成を示す斜視図であり、図２は、図１に示す前面パネルの構成を示す斜視図であり、図３は、図１に示す剥離ユニットの構成を示す斜視図であり、（ａ）は、前面側から見た斜視図であり、（ｂ）は、裏面側から見た斜視図である。図４は、図３に示す転向ローラ保持部の揺動動作を説明する側面図であり、（ａ）は、揺動されていない状態を示す側面図であり、（ｂ）は、揺動された状態を側面図である。
【００１０】
本実施の形態のラベルプリンタ１は、帯状台紙に間隔を置いて仮着されたラベルに印字を施して発行する装置であり、図１を参照すると、ラベルに印字を施す印字部および複数のラベルが間隔を置いて帯状台紙に仮着され、ロール状に巻き回されたラベル連続体が収納される収納部が内蔵されている本体２と、本体２の上面に設けられ、印字動作に係る各種入力を行う操作ボタン３１が配置されている上面パネル３と、本体２の前面上部側に取り付けられている前面パネル４と、本体２の前面下部側に下部を支点にして揺動自在に支持されている開閉カバー５と、上下にスライド可能な状態で前面パネル４に取り付けられている剥離ユニット６とを備え、前面パネル４と、開閉カバー５との間に形成された排出口７から印字が施されたラベルが排出されるように構成されている。なお、図１に示す符号８は、開閉カバー５を開蓋するオープンレバーである。
【００１１】
前面パネル４は、図２を参照すると、剥離ユニット６がスライド可能に嵌装される剥離ユニット取り付け部４１が形成されていると共に、剥離ユニット取り付け部４１の側面には、剥離ユニット６のスライドをガイドするガイド溝４２と、剥離ユニット６を位置決めする位置決め部材４３が形成されている。なお、図２には、剥離ユニット取り付け部４１の右側面に形成されているガイド溝４２および位置決め部材４３が図示されているが、左側面にもガイド溝４２および位置決め部材４３が形成されている。
【００１２】
剥離ユニット６は、図３を参照すると、スライド部６１と、転向ローラ１０を回動可能に支持する転向ローラ支持部６２とで構成され、転向ローラ支持部６２は、図４に示すように、スライド部６１に揺動自在に支持され、スライド部６１と、転向ローラ支持部６２との間は、ラベル排出口６３となっている。
【００１３】
スライド部６１には、オープンレバー８が貫通する開口６１１が形成されていると共に、側面には、剥離ユニット取り付け部４１の側面に形成されているガイド溝４２に嵌装されるスライド片６１２〜６１５が形成されている。
【００１４】
転向ローラ支持部６２には、支持する転向ローラ１０に対して直交する方向に一対のアーム部６２１が延出して形成されており、一対のアーム部６２１の先端部がスライド部６１の側面にそれぞれ揺動自在に支持され、トーションバネ１１によって転向ローラ１０が本体２側に押し付けられる方向に付勢されている。従って、転向ローラ支持部６２に外部からの力が作用しない場合には、転向ローラ１０は、図４（ａ）に示すように、本体２側に押し付けられる方向に付勢されているが、転向ローラ１０を本体２から引き離す方向の力が転向ローラ支持部６２に作用した場合には、図４（ｂ）に示すように、転向ローラ支持部６２が揺動される。
【００１５】
また、転向ローラ支持部６２における一対のアーム部６２１の外側面には、剥離ユニット取り付け部４１の側面に形成されているガイド溝４２に嵌装される位置決め片６２２がそれぞれ形成されている。
【００１６】
次に、本実施の形態における剥離ユニットのスライドによる発行状態の切り換え動作について図５乃至および図７を参照して詳細に説明する。
図５は、図１に示す剥離ユニットのスライド動作を説明する前面図であり、（ａ）は、通常発行状態を示す図であり、（ｂ）は、剥離発行状態を示す図である。図６は、図１に示す剥離ユニットの動作を説明する側面図であり、（ａ）は、通常発行状態を示す図であり、（ｂ）は、剥離発行状態を示す図である。図７は、図３に示すスライド片および位置決め片の図２に示すガイド溝内での動作を説明する説明図であり、（ａ）は、通常発行状態を示す図であり、（ｂ）は、移動中の状態を示す図であり、（ｃ）は、剥離発行状態を示す図である。
【００１７】
本実施の形態のラベルプリンタ１は、帯状台紙に仮着したままラベルを発行する通常発行状態と、台紙から剥離してラベルを発行する剥離発行状態とに切り換えて使用することができ、通常発行状態と剥離発行状態との切り換えは、剥離ユニット６のスライドによって行われる。
【００１８】
図５（ａ）および図６（ａ）には、帯状台紙に仮着したままラベルを発行する通常発行状態が示されており、剥離ユニット６は、スライド範囲の上限に位置している。通常発行状態では、剥離ユニット６が排出口７の上方に位置し、印字手段であるサーマルヘッド１４によって印字が施されたラベル１２は、帯状台紙１３に仮着された状態で排出口７から排出される。なお、図５および図６に示す符号１５は、複数のラベル１２が間隔を置いて仮着されている帯状台紙１３を搬送するプラテンローラであり、符号１６は、ラベル１２を帯状台紙１３から剥離する剥離板であり、プラテンローラ１５および剥離板１６は、開閉カバー５に取り付けられている。
【００１９】
図７（ａ）には、通常発行状態における前面パネルに形成されたガイド溝４２に嵌装されたスライド片６１２、６１３および位置決め片６２２の位置が示されており、ガイド溝４２内に形成された位置決め部材４３の上面４３ａに、位置決め片６２２が当接することによって、剥離ユニット６の下方向へのスライドが制限され、剥離ユニット６が通常発行状態に位置決めされている。なお、位置決め部材４３の上面４３ａは、前面側（図７における左側）が低くなっている傾斜面となっているが、転向ローラ支持部６２（位置決め片６２２）がトーションバネ１１によって本体２に押し付けられる方向に付勢されているため、位置決め片６２２が位置決め部材４３に当接することによって剥離ユニット６の下方向へのスライドが制限される。
【００２０】
図５（ｂ）および図６（ｂ）には、帯状台紙から剥離してラベルを発行する剥離発行状態が示されており、剥離ユニット６が下方に位置している。剥離発行状態では、排出口７と、剥離ユニット６のラベル排出口６３とが対向すると共に、転向ローラ１０が排出口７よりも下方でプラテンローラ１５と当接した状態となり、印字手段であるサーマルヘッド１４によって印字が施されたラベル１２が仮着された状態で排出口７から排出された帯状台紙１３は、剥離板１６で折り返される。従って、ラベル１２は、剥離板１６によって帯状台紙１３から剥離されてラベル排出口６３から排出されると共に、ラベル１２が剥離された帯状台紙１３は、剥離板１６で折り返されて剥離ユニット６の下側から排出される。
【００２１】
図７（ｃ）には、剥離発行状態における前面パネルに形成されたガイド溝４２に嵌装されたスライド片６１２、６１３および位置決め片６２２の位置が示されており、ガイド溝４２内に形成された位置決め部材４３の下面４３ｂに、位置決め片６２２が当接することによって、剥離ユニット６の上方向へのスライドが制限され、剥離ユニット６が剥離発行状態に位置決めされている。なお、位置決め部材４３の下面は４３ｂ、剥離ユニット６のスライド方向に対して略直交する面となっている。
【００２２】
なお、剥離発行状態においてプラテンローラ１５に当接する転向ローラ１０は、本体２に押し付けられる方向に付勢されているため、転向ローラ１０がプラテンローラ１５に押圧され、転向ローラ１０とプラテンローラ１５とでラベル１２が剥離された帯状台紙１３を挟持して搬送することができる。従って、剥離板１６で折り返される帯状台紙１３に十分な張力を付与してラベル１２の帯状台紙１３からの剥離を良好に行うことができる。
【００２３】
通常発行状態から剥離発行状態へは、排出口７から帯状台紙１３が突出した状態で、剥離ユニット６を手等で押し下げ、剥離ユニット６を下方にスライドさせるだけの動作で切り換えることができる。すなわち、剥離ユニット６が押し下げられると、傾斜面である位置決め部材４３の上面４３ａによって位置決め片６２２が押され、位置決め片６２２が本体２から離れる方向に力が作用するため、図４（ｂ）に示すように、転向ローラ支持部６２が揺動される。従って、図７（ａ）に矢印で示すように、位置決め片６２２は、傾斜面である位置決め部材４３の上面４３ａの傾斜に沿って移動して、図７（ｂ）に示すように、位置決め片６２２が位置決め部材４３を乗り越え、スライド片６１２〜６１５と共に下方にスライドされ、剥離ユニット６が下方にスライドされて剥離発行状態に切り換わる。なお、位置決め片６２２の断面の少なくとも位置決め部材４３と当接する面側は、凸曲面になっており、傾斜面である位置決め部材４３の上面４３ａに沿ってスムーズに移動されるように構成されている。
【００２４】
また、排出口７から帯状台紙１３が突出した状態で剥離ユニット６が下方にスライドされるため、帯状台紙１３は、プラテンローラ１５と転向ローラ１０とに挟持され、剥離板１６で折り返される。
【００２５】
剥離発行状態から通常発行状態への切り換えは、剥離ユニット６の転向ローラ支持部６２を転向ローラ１０が本体２から離れる方向に揺動させながら、剥離ユニット６を手等で押し上げ、剥離ユニット６を上方にスライドさせるだけの動作で切り換えることができる。すなわち、図４（ｂ）に示すように、転向ローラ１０が本体２から離れる方向に転向ローラ支持部６２を揺動させると、図７（ｃ）に矢印で示すように、位置決め片６２２は、位置決め部材４３の下面４３ｂによる上方向へのスライド制限が解除される位置まで移動される。この状態で、剥離ユニット６が押し上げられると、図７（ｂ）に示すように、位置決め片６２２が位置決め部材４３を乗り越え、スライド片６１２〜６１５と共に上方にスライドされ、剥離ユニット６が上方にスライドされて通常発行状態に切り換わる。
【００２６】
このように剥離ユニット６の上下方向のスライドに際しては、スライド片６１２〜６１５および位置決め片６２２がガイド溝４２に沿ってスライドされることになるが、ガイド溝４２は、位置決め部材４３によって２つのガイド溝に分割されており、図７に示すように、スライド片６１２〜６１５の上下方向のスライドをガイドする第１のガイド溝４２ａと、位置決め片６２２のスライドをガイドする第２のガイド溝４２ｂとして機能している。また、第２のガイド溝４２ｂにおいては、位置決め部材４３の上面４３ａが位置決め片６２２の下方向へのスライドを規制、通常発行状態から剥離発行状態への切り換えを規制する第１の規制面として機能していると共に、位置決め部材４３の下面４３ｂが位置決め片６２２の上方向へのスライドを規制、すなわち剥離発行状態から通常発行状態への切り換えを規制する第２の規制面として機能している。
【００２７】
次に、本実施の形態における開閉カバーのロック機構について図８および図９を参照して詳細に説明する。
図８は、図１に示す開閉カバーの動作を説明する側面図であり、（ａ）は、開閉カバーの閉蓋状態を示す図であり、（ｂ）は、開閉カバーの開蓋状態を示す図である。図９は、図１に示す開閉カバーの動作が剥離ユニットによってロックされている状態を説明する側面図である。
【００２８】
開閉カバー５は、通常発行状態では、オープンレバー８を操作することによって開蓋するが、剥離発行状態では、開蓋がロック、すなわちオープンレバー８を操作することができないように構成されている。
【００２９】
開閉カバー５が閉蓋状態では、図８（ａ）に示すように、オープンレバー８に連動するコの字状のストッパ８１によって、開閉カバー５に取り付けられているプラテンローラ１５の軸が保持されており、この状態からオープンレバー８を上方に操作すると、図８（ｂ）に示すように、ストッパ８１からプラテンローラ１５の軸が解放され、開閉カバー５を開蓋することができるように構成されている。図８（ａ）、（ｂ）に示されている剥離ユニット６は、通常発行状態であり、オープンレバー８が貫通している開口６１１には、オープンレバー８を上方に操作する空間が存在し、ストッパ８１からプラテンローラ１５の軸が解放される位置までオープンレバー８を上方に操作することができるようになっている。
【００３０】
これに対し、剥離ユニット６が剥離発行状態である場合には、図９に示すように、オープンレバー８が貫通している開口６１１には、オープンレバー８を上方に操作する十分な空間が存在しておらず、オープンレバー８を上方に操作しようとしても開口６１１の上面にオープンレバー８が当接し、ストッパ８１からプラテンローラ１５の軸が解放される位置までオープンレバー８を上方に操作することができないようになっている。
【００３１】
次に、本実施の形態における剥離ユニットのロック機構について図１０および図１１を参照して詳細に説明する。
図１０は、図１に示す剥離ユニットのロック機構の構成を示す前面図であり、図１１は、図１０に示すロック機構の動作を説明する側面図であり、（ａ）は、開閉カバーの開蓋状態を示す図であり、（ｂ）は、開閉カバーの閉蓋状態を示す図である。
【００３２】
通常発行状態から剥離発行状態への切り換え、すなわち通常発行状態における剥離ユニット６の下方へのスライドは、開閉カバー５の開蓋時に、ロックされるように構成されている。
【００３３】
剥離ユニット６のスライド部６１に形成されているスライド片６１２〜６１５の内、正面から見て右下のスライド片６１５は、ガイド溝４２の深さよりも長く形成され、図１０に示すように、開口４４（図２参照）を介してガイド溝４２を突き抜けており、開閉カバー５の開蓋時には、ガイド溝４２を突き抜けたスライド片６１５が係止されることによって、剥離ユニット６の下方へのスライドがロックされる。
【００３４】
剥離ユニット６の下方へのスライドをロックするロック機構は、図１０および図１１を参照すると、本体２に設けられた側板２１に回動可能に軸支された回動部材２２と、回動部材２２の回動に伴い、スライド片６１５を係止する位置と、スライド片６１５の係止を解除する位置とに移動する係止片２３と、回動部材２２を回動させて係止片２３によるスライド片６１５の係止を解除する解除レバー２４と、回動部材２２の回動軸に設けられ、スライド片６１５を係止する位置に係止片２３を付勢するトーションバネ２５とからなる。
【００３５】
図１１（ａ）は、開閉カバー５の開蓋時におけるロック機構の状態が示されており、トーションバネ２５によって係止片２３がスライド片６１５を係止する位置に付勢されているため、ガイド溝４２を突き抜けたスライド片６１５が係止片２３によって係止されることによって、剥離ユニット６の下方へのスライドがロックされる。
【００３６】
図１１（ｂ）は、開閉カバー５の閉蓋時におけるロック機構の状態が示されており、開閉カバー５によって、解除レバー２４が操作されることにより、トーションバネ２５の付勢に抗して回動部材２２を回動され、係止片２３によるスライド片６１５の係止が解除され、剥離ユニット６の下方へのスライドが可能になる。
【００３７】
以上説明したように、本実施の形態によれば、剥離ユニット６が排出口７に対向する位置にスライドされている剥離発行状態において、開閉カバー５の開蓋をロックすると共に、開閉カバー６が開蓋されている状態において、剥離ユニット６の排出口７に対向する位置へのスライドをロックするように構成することにより、通常発行状態と剥離発行状態との切り換え操作は、常に開閉カバー５が閉蓋した状態で行われるため、通常発行状態と剥離発行状態との切り換え操作時に装置が落下してしまった場合にも、破損を防止することができるという効果を奏する。
【００３８】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００３９】
【図１】本発明に係るラベルプリンタの実施の形態の外観構成を示す斜視図である。
【図２】図１に示す前面パネルの構成を示す斜視図である。
【図３】図１に示す剥離ユニットの構成を示す斜視図であり、（ａ）は、前面側から見た斜視図であり、（ｂ）は、裏面側から見た斜視図である。
【図４】図３に示す転向ローラ保持部の揺動動作を説明する側面図であり、（ａ）は、揺動されていない状態を示す側面図であり、（ｂ）は、揺動された状態を側面図である。
【図５】図１に示す剥離ユニットのスライド動作を説明する前面図であり、（ａ）は、通常発行状態を示す図であり、（ｂ）は、剥離発行状態を示す図である。
【図６】図１に示す剥離ユニットの動作を説明する側面図であり、（ａ）は、通常発行状態を示す図であり、（ｂ）は、剥離発行状態を示す図である。
【図７】図３に示すスライド片および位置決め片の図２に示すガイド溝内での動作を説明する説明図であり、（ａ）は、通常発行状態を示す図であり、（ｂ）は、移動中の状態を示す図であり、（ｃ）は、剥離発行状態を示す図である。
【図８】図１に示す開閉カバーの動作を説明する側面図であり、（ａ）は、開閉カバーの閉蓋状態を示す図であり、（ｂ）は、開閉カバーの開蓋状態を示す図である。
【図９】図１に示す開閉カバーの動作が剥離ユニットによってロックされている状態を説明する側面図である。
【図１０】図１に示す剥離ユニットのロック機構の構成を示す前面図である。
【図１１】図１０に示すロック機構の動作を説明する側面図であり、（ａ）は、開閉カバーの開蓋状態を示す図であり、（ｂ）は、開閉カバーの閉蓋状態を示す図である。
【符号の説明】
【００４０】
１  ラベルプリンタ
２  本体
３  上面パネル
４  前面パネル
５  開閉カバー
６  剥離ユニット
７  排出口
８  オープンレバー
１０  転向ローラ
１１  トーションバネ
１２  ラベル
１３  帯状台紙
１４  サーマルヘッド
１５  プラテンローラ
１６  剥離板
２１  側板
２２  回動部材
２３  係止片
２４  解除レバー
２５  トーションバネ
３１  操作ボタン
４１  剥離ユニット取り付け部
４２ａ  第１のガイド溝
４２ｂ  第２のガイド溝
４２  ガイド溝
４３  位置決め部材
４３ａ  上面
４３ｂ  下面
４４  開口
６１  スライド部
６２  転向ローラ支持部
６３  ラベル排出口
８１  ストッパ
６１１  開口
６１２〜６１５  スライド片
６２１  アーム部
６２２  位置決め片
【図１】
2006150858.tif 000003
【図２】
2006150858.tif 000004
【図３】
2006150858.tif 000005
【図４】
2006150858.tif 000006
【図５】
2006150858.tif 000007
【図６】
2006150858.tif 000008
【図７】
2006150858.tif 000009
【図８】
2006150858.tif 000010
【図９】
2006150858.tif 000011
【図１０】
2006150858.tif 000012
【図１１】
2006150858.tif 000013